(57)【要約】【課題】  利便性を損なうことなく電力消費を抑制可能なプロジェクタを提供する。【解決手段】  主制御部２０は、検波回路２３からの検知結果を入力し、画像信号の入力の有無を判断する。画像信号を伝送するためのケーブルが引き抜かれたり、画像供給装置側で再生停止の操作が行われたりして、画像信号の入力が途絶えると主制御部２０は、光源駆動部２４に指示をして、ＬＥＤ光源１１の消灯を指示するとともに、画像制御部２５に指示をして、Ａ／Ｄコンバータ２６によるＲＧＢ信号のサンプリングを停止する。【選択図】  図１
2006330224.tif 000002
【特許請求の範囲】
【請求項１】
外部から入力される画像信号に応じた画像を投写するプロジェクタであって、
固体光源素子で構成された光源と、
前記光源から射出される光を、前記画像信号に応じて変調する光変調装置と、
前記光変調装置で変調された光を投写する投写レンズと、
前記画像信号の入力の有無を検知する入力信号検知部と、
前記入力信号検知部が前記画像信号の入力が途絶えたことを検知したときに、前記光源を消灯させる光源駆動部と、
を有することを特徴とするプロジェクタ。
【請求項２】
請求項１に記載のプロジェクタであって、前記光源駆動部は、前記入力信号検知部が前記画像信号の入力を検知したときに、前記光源を点灯させることを特徴とするプロジェクタ。
【請求項３】
外部から入力される画像信号に応じた画像を投写するプロジェクタであって、
固体光源素子で構成された光源と、
前記光源から射出される光を、前記画像信号に応じて変調する光変調装置と、
前記光変調装置で変調された光を投写する投写レンズと、
前記画像信号の入力の有無を検知する入力信号検知部と、
前記入力信号検知部が前記画像信号の入力を検知したときに、前記光源を点灯させる光源駆動部と、
を有することを特徴とするプロジェクタ。
【請求項４】
請求項２又は３に記載のプロジェクタであって、入力した画像信号の表示モードを判定するモード判定部を備え、前記光源駆動部は、前記モード判定部が前記画像信号の表示モードを判定した後に前記光源を点灯させることを特徴とするプロジェクタ。
【請求項５】
固体光源素子で構成された光源を備え、前記光源から射出された光を、外部から入力される画像信号に応じて変調して投写するプロジェクタの制御方法であって、
画像信号の入力の有無を検知する信号入力検知工程と、
前記信号入力検知工程で画像信号の入力が検知された場合に、前記画像信号の表示モードを判定する表示モード判定工程と、
前記表示モード判定工程で前記画像信号の表示モードが確定した後に、前記光源を点灯させる光源点灯工程と、
を有することを特徴とするプロジェクタの制御方法。
【発明の詳細な説明】
【技術分野】
【０００１】
本発明は、画像信号を入力し、当該画像信号に応じた画像を投写するプロジェクタ及びその制御方法に関する。
【背景技術】
【０００２】
光源から射出された光を、入力した画像信号に応じて変調し、スクリーン等に画像を投写するプロジェクタにおいて、画像信号の入力の有無に応じて、光源の点灯や消灯を制御するプロジェクタが提案されている（例えば、特許文献１）。特許文献１に記載のプロジェクタは、画像信号の入力がないとき、即ち、投写すべき画像がないときに光源を消灯させることにより、無駄な電力消費を抑制することを目的としている。
【０００３】
【特許文献１】特開２００１−１３３８８０号公報
【発明の開示】
【発明が解決しようとする課題】
【０００４】
しかしながら、従来のプロジェクタには、光源として超高圧水銀ランプやメタルハライドランプ等の放電型光源ランプが主に用いられている。放電型光源ランプは、点灯を開始してから十分な明るさで安定した点灯状態となるまでに、例えば数十秒程度の時間を要するうえ、ランプを一旦消灯した後の再点灯は、ランプの温度をある程度降下させた後でなければ、ランプの寿命を低下させてしまうことから、ランプ消灯後数十秒〜数分の間、空冷ファン等によりランプの冷却を行う必要がある。
【０００５】
このため、特許文献１で提案されているプロジェクタは、一旦画像信号が途絶えてランプが消灯となると、その後画像信号が再入力されてもすぐに光源の点灯、即ち画像の投写を行うことができず、使用時の利便性が損なわれてしまう。一方、画像信号の再入力を考慮して、画像信号が途絶えた後もしばらくの間ランプを消灯しないようにすれば、電力消費の抑制が制限されてしまうという問題を有している。
【０００６】
本発明は上記問題を鑑みてなされたものであり、その目的は、利便性を損なうことなく電力消費を抑制可能なプロジェクタ及びその制御方法を提供することにある。
【課題を解決するための手段】
【０００７】
本発明のプロジェクタは、外部から入力される画像信号に応じた画像を投写するプロジェクタであって、固体光源素子で構成された光源と、前記光源から射出される光を、前記画像信号に応じて変調する光変調装置と、前記光変調装置で変調された光を投写する投写レンズと、前記画像信号の入力の有無を検知する入力信号検知部と、前記入力信号検知部が前記画像信号の入力が途絶えたことを検知したときに、前記光源を消灯させる光源駆動部とを有することを特徴とする。
【０００８】
このプロジェクタによれば、画像信号の入力が途絶えたときに光源を消灯するため、無駄な電力消費を抑制することが可能となる。さらに、点消灯を繰り返し行っても光源に対する負担が小さい固体光源素子を用いているため、光源の消灯直後でも再点灯することが可能となり、使用時の利便性が向上する。
【０００９】
このプロジェクタにおいて、前記光源駆動部は、前記入力信号検知部が前記画像信号の入力を検知したときに、前記光源を点灯させることが望ましい。
【００１０】
このプロジェクタによれば、画像信号の入力に伴って光源が点灯するため、画像信号が入力されていないときに光源を消灯させておくことが可能となり、無駄な電力消費を一層抑制することが可能となる。さらに、光源を点灯させるための操作が不要となるうえ、瞬時点灯が可能な固体光源素子を光源に用いているため、画像信号が入力された後すぐに安定した投写が可能となり、使用時の利便性がさらに向上する。
【００１１】
本発明のプロジェクタは、外部から入力される画像信号に応じた画像を投写するプロジェクタであって、固体光源素子で構成された光源と、前記光源から射出される光を、前記画像信号に応じて変調する光変調装置と、前記光変調装置で変調された光を投写する投写レンズと、前記画像信号の入力の有無を検知する入力信号検知部と、前記入力信号検知部が前記画像信号の入力を検知したときに、前記光源を点灯させる光源駆動部とを有することを特徴とする。
【００１２】
このプロジェクタによれば、画像信号の入力に伴って光源が点灯するため、画像信号が入力されていないときに光源を消灯させておくことが可能となり、無駄な電力消費を抑制することが可能となる。さらに、光源を点灯させるための操作が不要となるうえ、瞬時点灯が可能な固体光源素子を光源に用いているため、画像信号が入力された後すぐに安定した投写が可能となり、使用時の利便性が向上する。
【００１３】
このプロジェクタにおいて、入力した画像信号の表示モードを判定するモード判定部を備え、前記光源駆動部は、前記モード判定部が前記画像信号の表示モードを判定した後に前記光源を点灯させることが望ましい。
【００１４】
このプロジェクタによれば、画像信号が入力された後も、表示モードが確定するまで光源を消灯させているため、電力消費をさらに抑制することが可能となる。
【００１５】
本発明のプロジェクタの制御方法は、固体光源素子で構成された光源を備え、前記光源から射出された光を、外部から入力される画像信号に応じて変調して投写するプロジェクタの制御方法であって、画像信号の入力の有無を検知する信号入力検知工程と、前記信号入力検知工程で画像信号の入力が検知された場合に、前記画像信号の表示モードを判定する表示モード判定工程と、前記表示モード判定工程で前記画像信号の表示モードが確定した後に、前記光源を点灯させる光源点灯工程とを有することを特徴とする。
【００１６】
このプロジェクタの制御方法によれば、画像信号が入力され、表示モードが確定するまでの間、光源を消灯させているため、無駄な電力消費を抑制することが可能となる。
【００１７】
また、上述したプロジェクタ及びその制御方法が、プロジェクタに備えられたコンピュータ（ＣＰＵ）を用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１８】
以下、本発明の実施形態に係るプロジェクタについて、図面を参照して説明する。本実施形態のプロジェクタは、外部から画像信号を入力し、前記画像信号に応じた画像の投写を行うものである。
【００１９】
図１は、本実施形態に係るプロジェクタの概略構成を示すブロック図である。
図１に示すように、プロジェクタ１には、画像の投写を行う投写光学系１０が備えられている。投写光学系１０は、光源としてのＬＥＤ光源１１と、光変調装置としての液晶ライトバルブ１２と、投写レンズ１３とを備えている。
【００２０】
ＬＥＤ光源１１は、マトリクス状に配列された複数のＬＥＤ（Light Emitting Diode：発光ダイオード）１１ａを有している。ＬＥＤ等の固体光源素子は、メタルハライドランプ等の放電型光源ランプに比べて、電源を含めて小型化が可能であるうえ、瞬時点灯・瞬時消灯が可能であること、消灯後すぐに再点灯させても光源に対する負担が小さいこと、色再現性が広く長寿命であること等、プロジェクタ用の光源素子として多くの利点を備えている。
【００２１】
液晶ライトバルブ１２には、図示しない複数の画素が形成されており、ＬＥＤ光源１１から射出した光を、画像信号に基づいて画素毎に変調することにより、画像信号に応じた光学像を形成する。液晶ライトバルブ１２で形成された光学像は、投写レンズ１３によって、スクリーンＳＣ等に向けて拡大投写される。
【００２２】
図２は、投写光学系１０の構成をより詳細に説明する説明図である。
図２に示すように、本実施形態のＬＥＤ光源１１は、それぞれ波長域の異なる３色（赤、緑、青）の色光Ｒ，Ｇ，Ｂを発する３つのＬＥＤ光源１１Ｒ，１１Ｇ，１１Ｂからなっている。各ＬＥＤ光源１１Ｒ，１１Ｇ，１１Ｂから射出した色光Ｒ，Ｇ，Ｂは、ミラー１４によって反射された後、それぞれ３つの液晶ライトバルブ１２Ｒ，１２Ｇ，１２Ｂを照明する。各色光Ｒ，Ｇ，Ｂは、液晶ライトバルブ１２Ｒ，１２Ｇ，１２Ｂによって色光毎に変調された後、クロスダイクロイックプリズム１５によって合成されて、カラーの光学像が形成される。この光学像が投写レンズ１３によって投写され、スクリーンＳＣに画像が表示される。
【００２３】
なお、それぞれ波長域の異なる３色（赤、緑、青）の色光Ｒ，Ｇ，Ｂを発する３つのＬＥＤ光源１１Ｒ，１１Ｇ，１１Ｂを用いる代わりに、白色光を発するＬＥＤ光源と、白色光を波長域の異なる３色（赤、緑、青）の色光Ｒ，Ｇ，Ｂに分離可能な色光分離部とを備え、ＬＥＤ光源から発した光を、色光分離部によって分離した後に、３つの液晶ライトバルブ１２Ｒ，１２Ｇ，１２Ｂに入射するようにしてもよい。
【００２４】
図１に戻って、プロジェクタ１には、ＣＰＵ等からなる主制御部２０が備えられており、主制御部２０には、主記憶部２１、操作部２２、検波回路２３、光源駆動部２４、画像制御部２５が接続されている。
【００２５】
主制御部２０は、コンピュータとして機能し、主記憶部２１に記憶されている制御プログラムに従って、プロジェクタ１の動作を統括制御する。主記憶部２１は、フラッシュＲＯＭ（Read Only Memory）等のメモリによって構成され、前記制御プログラムを記憶するとともに、各種設定値等の記憶に用いられる。操作部２２には、電源のオン・オフや、画質の調整等、プロジェクタ１に対して各種操作を行うための複数のキー等が備えられており、ユーザが操作部２２を操作すると、操作部２２は、操作内容に応じた操作信号を主制御部２０に出力する。
【００２６】
検波回路２３は、パーソナルコンピュータ等の外部の画像供給装置（図示せず）から供給される画像信号の入力の有無を検知する入力信号検知部として機能し、検知結果を主制御部２０に出力する。
光源駆動部２４は、主制御部２０からの指示に基づいて、ＬＥＤ光源１１への電力供給を制御することにより、ＬＥＤ光源１１の点灯及び消灯を行うことができる。
【００２７】
画像制御部２５は、Ａ／Ｄコンバータ２６、画像メモリ２７、ライトバルブ駆動部２８に接続されており、主制御部２０からの指示に基づいて、入力した画像信号に応じた画像を、投写光学系１０を用いて投写するための制御及び処理を行う。
【００２８】
外部から供給される画像信号には、画像情報を表す信号（以下、ＲＧＢ信号という。）とともに、当該信号の走査タイミングを規定する各種同期信号（水平同期信号Ｈや垂直同期信号Ｖ等）が含まれており、このうちＲＧＢ信号はＡ／Ｄコンバータ２６に入力し、同期信号は画像制御部２５に入力する。
【００２９】
画像制御部２５には、モード判定部２５ａが備えられており、入力した同期信号等に基づいて、解像度や走査周波数等が異なる複数の表示モードの中から、当該画像信号の表示モードを特定することができる。画像制御部２５は、モード判定部２５ａで特定した表示モードに基づいて、所定の周波数のクロック信号（サンプリングクロックＣＬＫ）をＡ／Ｄコンバータ２６に出力する。
【００３０】
Ａ／Ｄコンバータ２６が、サンプリングクロックＣＬＫに同期してＲＧＢ信号をＡ／Ｄ変換することにより、ＲＧＢ信号は正確にサンプリングされ、デジタルの画像データとして画像制御部２５に出力される。
【００３１】
サンプリングされた画像データは、画像制御部２５で、解像度を液晶ライトバルブ１２の解像度（画素数）に合わせる解像度変換や、輝度調整、コントラスト調整、シャープネス調整等の各種画質調整、或いは、メニューやメッセージ等のＯＳＤ（オンスクリーンディスプレイ）画像を合成する処理が施されて画像メモリ２７に書き込まれる。画像メモリ２７に格納された画像データは、ライトバルブ駆動部２８に出力される。
【００３２】
ライトバルブ駆動部２８は、入力した画像データに応じて、液晶ライトバルブ１２を駆動するための駆動信号を生成する。液晶ライトバルブ１２が、この駆動信号に応じて光源光を変調することにより、画像データに応じた光学像が投写レンズ１３から投写される。
【００３３】
次に、本実施形態のプロジェクタ１の動作について、図面を参照して説明する。
図３は、プロジェクタ１に画像信号が入力された際の動作を説明するフローチャートである。
プロジェクタ１は、画像信号が入力されていない状態では、ＬＥＤ光源１１を消灯させており、図３に示すフローに従って動作を行う。
【００３４】
図３に示すように、ステップＳ１０１では、主制御部２０は、検波回路２３からの検知結果を入力し、画像信号の入力の有無を判断する。主制御部２０は、画像信号が入力されるまで当該ステップを繰り返し、画像供給装置側での再生開始の操作等に応じて画像信号が入力されればステップＳ１０２に移行する。
【００３５】
画像信号の入力を検波回路２３が検知し、ステップＳ１０２に移行した場合には、主制御部２０は、画像制御部２５に対して、入力された画像信号の表示モードを判定するよう指示をする。画像制御部２５は、主制御部２０からの指示を受けると、入力される同期信号Ｈ，Ｖ等から当該画像信号の表示モードの判定を開始する。その後、表示モードの判定が完了し、当該画像信号の表示モードが確定すれば、その旨を主制御部２０に通知するとともに、Ａ／Ｄコンバータ２６にサンプリングクロックＣＬＫを出力する。これにより、ＲＧＢ信号のサンプリングが開始する。
【００３６】
ステップＳ１０３では、主制御部２０は、画像制御部２５からの通知に基づいて、表示モードが確定したか否かを判断する。当該ステップを表示モードが確定するまで繰り返し、表示モードが確定していればステップＳ１０４に移行する。
【００３７】
表示モードが確定し、ステップＳ１０４に移行すると、主制御部２０は、光源駆動部２４に対してＬＥＤ光源１１の点灯を指示する。これにより、ＬＥＤ光源１１が点灯し、スクリーンＳＣに画像信号に応じた画像が投写される。
【００３８】
次に、画像を投写中に、画像信号が途切れた場合のプロジェクタの動作について説明する。
図４は、プロジェクタ１に入力されていた画像信号が途切れた際の動作を説明するフローチャートである。
【００３９】
プロジェクタ１は、画像信号に応じた画像を投写している間、画像信号の入力の有無を定期的に検知するようになっており、図４に示すように、ステップＳ２０１では、主制御部２０は、検波回路２３からの検知結果を入力し、画像信号の入力の有無を判断する。主制御部２０は、画像信号が入力されている限り当該ステップを繰り返し、画像信号を伝送するためのケーブルが引き抜かれたり、画像供給装置側で再生停止の操作が行われたりして、画像信号の入力が途絶えるとステップＳ２０２に移行する。
ステップＳ２０２では、主制御部２０は、光源駆動部２４に対してＬＥＤ光源１１の消灯を指示するとともに、画像制御部２５に指示をして、ＲＧＢ信号のサンプリングを停止して処理を終了する。
【００４０】
なお、画像信号が供給されていない状態で、ＯＳＤ画像を表示する必要がある場合には、主制御部２０は、光源駆動部２４に指示をして、ＬＥＤ光源１１を点灯させるとともに、画像制御部２５に指示をして、無地の背景上にＯＳＤ画像が合成されるような画像データを生成させ、画像メモリ２７に格納させる。このとき、背景は、予め主記憶部２１に記憶した任意の画像を用いるようにしてもよい。
【００４１】
また、プロジェクタ１は、複数の画像供給装置と接続可能になっており、ユーザは、操作部２２を操作することによって、入力ソース（画像信号の供給元）を切り替えることができるようになっている。ここで、切り替えた入力ソースから画像信号の入力がない場合には、主制御部２０は、ＯＳＤ画像によって画像信号が入力されていない旨のメッセージを所定時間表示させた後に、ＬＥＤ光源１１を消灯する。
【００４２】
以上説明したように、本実施形態のプロジェクタ１によれば、以下の効果を得ることができる。
（１）本実施形態のプロジェクタ１によれば、画像信号の入力が途絶えたときにＬＥＤ光源１１を消灯するため、無駄な電力消費を抑制することが可能となる。さらに、点消灯を繰り返し行っても光源に対する負担が小さい固体光源素子（ＬＥＤ）を用いているため、光源の消灯直後でも再点灯することが可能となり、使用時の利便性が向上する。
【００４３】
（２）本実施形態のプロジェクタ１によれば、画像信号の入力に伴ってＬＥＤ光源１１が点灯するため、画像信号が入力されていないときにＬＥＤ光源１１を消灯させておくことが可能となり、無駄な電力消費を抑制することが可能となる。さらに、光源を点灯させるための操作が不要となるうえ、瞬時点灯が可能な固体光源素子（ＬＥＤ）を光源に用いているため、画像信号の入力後すぐに安定した投写が可能となり、使用時の利便性が向上する。
【００４４】
（３）本実施形態のプロジェクタ１によれば、画像信号が入力された後も、表示モードが確定するまでＬＥＤ光源１１を消灯させているため、電力消費をさらに抑制することが可能となる。
【００４５】
（４）本実施形態のプロジェクタ１によれば、画像信号を伝送するためのケーブルを引き抜いたり、画像供給装置側で再生停止の操作を行ったりすることによりＬＥＤ光源１１を消灯させることが可能となるため、設置状態等によりプロジェクタ１に対して電源オフ等の操作が困難な場合にも、容易に電力消費を抑制することが可能となる。
【００４６】
（変形例）
なお、本発明の実施形態は、以下のように変更してもよい。
・前記実施形態では、入力される画像信号がアナログＲＧＢ信号の場合を例に説明しているが、本発明は、コンポジット信号やコンポーネント信号、或いはデジタルＲＧＢ信号等、他の形式の画像信号にも適用可能である。
【００４７】
・前記実施形態では、入力された画像信号の表示モードが確定した後に、ＬＥＤ光源１１を点灯するようにしているが、表示モードの確定・未確定に拘わらず、画像信号の入力に応じてＬＥＤ光源１１を点灯するようにしてもよい。
【００４８】
・前記実施形態では、画像信号の入力の有無に応じて、ＬＥＤ光源１１の点灯及び消灯の両方を実施可能な構成としているが、いずれか一方のみを画像信号の入力の有無に応じて実施し、他方を手動操作で行うようにしてもよい。
【００４９】
・前記実施形態では、画像信号の入力が途絶えた直後にＬＥＤ光源１１を消灯するようにしているが、画像信号の入力が途絶えてから所定の待機時間が経過した後に消灯するようにしてもよい。
【００５０】
・前記実施形態では、固体光源素子としてＬＥＤを用いているが、他の固体光源素子であるエレクトロルミネッセンス（ＥＬ）や半導体レーザー（ＬＤ）等を用いてもよい。
【００５１】
・前記実施形態では、透過型の液晶ライトバルブ１２を用いて光源光の変調を行っているが、反射型の光変調装置であるＬＣＯＳ（Liquid Crystal On Silicon）等を用いることも可能である。また、入射した光の射出方向を、画素としてのマイクロミラー毎に制御することにより、光源から射出した光を変調するＤＭＤ（テキサスインスツルメンツ社の登録商標）（デジタル・マイクロミラー・デバイス）等を用いることもできる。
【図面の簡単な説明】
【００５２】
【図１】プロジェクタの概略構成を示すブロック図。
【図２】投写光学系の構成をより詳細に説明する説明図。
【図３】画像信号が入力された際の動作を説明するフローチャート。
【図４】入力されていた画像信号が途切れた際の動作を説明するフローチャート。
【符号の説明】
【００５３】
１…プロジェクタ、１０…投写光学系、１１…ＬＥＤ光源、１１ａ…ＬＥＤ、１２…液晶ライトバルブ、１３…投写レンズ、１４…ミラー、１５…クロスダイクロイックプリズム、２０…主制御部、２１…主記憶部、２２…操作部、２３…検波回路、２４…光源駆動部、２５…画像制御部、２５ａ…モード判定部、２６…Ａ／Ｄコンバータ、２７…画像メモリ、２８…ライトバルブ駆動部。
【図１】
2006330224.tif 000003
【図２】
2006330224.tif 000004
【図３】
2006330224.tif 000005
【図４】
2006330224.tif 000006